(57)【要約】【課題】小型かつ携帯性に優れた軽量でありながら、粉体化した化粧料の漏れ出しが抑えられ、使用者の手等を汚すことなく使用することのできる化粧料容器を提供する。【解決手段】容器本体１の後端部に、蓋体２のヒンジ連結用の切り欠き部１ｄが設けられ、容器内部の化粧料収容用の凹部（中皿収容凹部１１）が、上記切り欠き部１ｄを通じて容器外部と連通する化粧料容器において、上記容器本体の凹部（１１）と切り欠き部１ｄの境界部位に、化粧料の外部への漏出を防止する仕切壁１３を設ける。【選択図】図１
2014124439.tif 000002
【特許請求の範囲】
【請求項１】
容器上方に向かって開口する化粧料収容用の凹部を有する容器本体と、この容器本体の上面開口を蓋する蓋体とを備え、上記容器本体の後端部に、上記凹部に連通する切り欠き部が設けられ、この切り欠き部に、上記蓋体の後端部から下方に向けて突出する連結用片部が嵌入され、これら連結用片部と容器本体の後端部との間がヒンジ連結され、上記蓋体が容器本体に対して開閉自在に取り付けられた化粧料容器であって、上記容器本体の凹部と切り欠き部の境界部位に、化粧料の外部への漏出を防止する仕切壁が形成されていることを特徴とする化粧料容器。
【請求項２】
上記容器本体の凹部が、この凹部の側面の途中に形成された段部により、大開口径の段上凹部と、その中央寄りに形成された小開口径の段下凹部とに分けられ、この段下凹部が化粧料収容凹部になっているとともに、
上記化粧料の外部への漏出を防止する仕切壁が、上記段上凹部と切り欠き部の境界部位に設けられている請求項１記載の化粧料容器。
【請求項３】
上記仕切壁が、上記切り欠き部の縁部に沿って、上記段上凹部の底面から立設されており、この仕切壁の両端部が段上凹部の側面に緩やかに接続されるように、上記仕切壁の端部と段上凹部の側面とで形成される入隅部が、鈍角状またはアール付き曲面になっている請求項２記載の化粧料容器。
【請求項４】
上記仕切壁の凹部底面からの突出高さが、０．１ｍｍ以上２．０ｍｍ以下に設定されている請求項１〜３のいずれか一項に記載の化粧料容器。
【発明の詳細な説明】
【技術分野】
【０００１】
本発明は、容器内に収容した化粧料を、パフやブラシ等の化粧用具に付着させて使用する化粧料容器に関するものである。
【背景技術】
【０００２】
化粧料容器は、外出時に携帯されることが多いため、意匠性だけでなく、緩衝性や携帯性に優れることが要求されている。特に、近年は、より小型の化粧料容器がユーザーに好まれるという状況にある。このため、例えば、特許文献１に示すように、化粧に用いるパフやブラシ等の化粧用具を、化粧料を充填した化粧皿（中皿）の横に並べて収容するのではなく、容器本体と蓋体との間に、パフやブラシ等を収容する化粧用具スペースを設けることにより、全体として小型化された化粧料容器が考案されている。
【０００３】
上記容器本体と蓋体との間に形成される化粧用具スペースのなかでも、容器本体の凹部内に設けられた段部より上側（開口側）に形成される化粧用具収容凹部は、通常、その下側に設けられる化粧料収容凹部（または中皿収容凹部）より大径になっており、上記のようにパフ等を収容する目的のほか、チークやファンデーション等、粉体を固形化した化粧料を使用する場合、この化粧料をパフ等に均一に付着させるための作業スペース、もしくは、いくつかの色の化粧料をパフ等で混合するための作業スペースとして活用される。
【０００４】
図５は、このように利用される従来の化粧料容器を、開蓋した状態で上から見た図であり、図６は、この化粧料容器に用いられている容器本体（単体）の外観斜視図である。なお、図５，６は、容器の構造が見易いように、化粧料が充填された中皿（符号３）や、この中皿の上にプラスチックシート（符号４）等を介して載置されるパフ（符号５）等の化粧用具の図示を省略している。また、ユーザーの操作を考慮して、容器本体１のフックピース１ｃ側を容器の手前側、容器本体１のヒンジ連結部側（符号１ｄ側）を奥側とし、容器の手前−奥側方向を「前後方向」、容器の天地方向および蓋の開閉方向を「上下方向」、手前側から奥側に向かって容器の左右をそのまま「左右方向」として説明する。
【０００５】
図５に示す化粧料容器は、化粧料を収容して携行するためのコンパクトケースであり、このコンパクトケースは、化粧料収容凹部（中皿収容凹部１１）および化粧用具収容凹部１２が形成された容器本体１と、この容器本体１の上部開口を蓋する蓋体２とを備えている。上記蓋体２は、この蓋体２から延設された連結用片部２ｂを介して、連結ピン（図示省略）等により、上記容器本体１の後端部（切り欠き部１ｄ）にヒンジ連結（蝶番連結）されており、この容器本体１に対して開閉自在になっている。
【０００６】
上記容器本体１は、図６に示すように、底部１ｂと側部１ａとからなる深皿状で、その側部１ａの途中に周状の段部が形成され、開口径の異なる２つの凹部が上下に積み重なる構造になっている。この段部より下側（内側）の段下凹部は、化粧料を充填された中皿を収容するための中皿収容凹部１１になっており、段部より上側（外側）の大きな段上凹部は、この例ではパフ等を収容するための化粧用具収容凹部１２になっている。段下の中皿収容凹部１１は、収容する中皿とほぼ同形の略円筒状で、その底部１ｂには、中皿の脱着に利用する貫通穴（長穴）が設けられている。
【０００７】
なお、中皿を使用せず、この中皿収容凹部１１（化粧料収容凹部）に直接、化粧料を充填する場合もある。また、この化粧用具収容凹部１２の側面（上記段部より上側の壁面）は、図のように、上方に向けて徐々に拡径する斜面（いわゆる「すり鉢」状）になっており、中皿収容凹部１１から飛び出しそうな化粧料が、この中皿収容凹部１１の中に自然と戻るようになっている。
【先行技術文献】
【特許文献】
【０００８】
【特許文献１】実開昭５２−１６８６９８号公報
【発明の概要】
【発明が解決しようとする課題】
【０００９】
しかしながら、上記のような従来の化粧料容器（コンパクトケース）は、先にも述べたように、容器本体１の中皿収容凹部１１に収容された中皿内の化粧料を、この中皿の上（すなわち、化粧用具収容凹部１２内）でパフ等に付着させながら使用するため、容器外部と連通する、蓋部２との接続部（切り欠き部１ｄ）から、パフ等で擦られて粉体化した化粧料が漏れ出てしまい、使用者の手やその周囲、さらにはコンパクトケースを収容した化粧ポーチ内やその周辺を汚す場合があった。そのため、この問題の改善が求められている。
【００１０】
本発明は、このような事情に鑑みなされたもので、小型かつ携帯性に優れた軽量でありながら、粉体化した化粧料の漏れ出しが抑えられ、使用者の手等を汚すことなく使用することのできる化粧料容器の提供をその目的とする。
【課題を解決するための手段】
【００１１】
上記の目的を達成するため、本発明の化粧料容器は、容器上方に向かって開口する化粧料収容用の凹部を有する容器本体と、この容器本体の上面開口を蓋する蓋体とを備え、上記容器本体の後端部に、上記凹部に連通する切り欠き部が設けられ、この切り欠き部に、上記蓋体の後端部から下方に向けて突出する連結用片部が嵌入され、これら連結用片部と容器本体の後端部との間がヒンジ連結され、上記蓋体が容器本体に対して開閉自在に取り付けられた化粧料容器であって、上記容器本体の凹部と切り欠き部の境界部位に、化粧料の外部への漏出を防止する仕切壁が形成されている化粧料容器を、第１の要旨とする。
【００１２】
また、本発明は、上記容器本体の凹部が、この凹部の側面の途中に形成された段部により、大開口径の段上凹部と、その中央寄りに形成された小開口径の段下凹部とに分けられ、この段下凹部が化粧料収容凹部になっているとともに、上記化粧料の外部への漏出を防止する仕切壁が、上記段上凹部と切り欠き部の境界部位に設けられている化粧料容器を、第２の要旨とする。
【００１３】
本発明者らは、化粧料容器をコンパクト化するために、容器本体とこれを蓋する蓋体との間にパフ等を収容する化粧用具収容凹部を設けるという構造を踏襲しつつ、どのようにしたら、容器使用中の化粧料の漏れ出しを低減できるかを研究した。その結果、中皿（化粧料）を収容する容器内部の凹部と容器外部とをつなぐ（連通させる）切り欠き部に、化粧料漏出防止用の仕切壁を設けることにより、粉体化した化粧料を効果的に押し戻すことができることを突き止め、本発明に到達した。
【発明の効果】
【００１４】
このように、本発明の化粧料容器は、容器本体の後端部に、蓋体のヒンジ連結用の切り欠き部が設けられ、容器内部の化粧料収容用の凹部が、上記切り欠き部を通じて容器外部と連通する化粧料容器において、上記容器本体の凹部と切り欠き部の境界部位に、化粧料漏出防止用の仕切壁を設けることにより、この切り欠き部から漏れ出ようとする化粧料が押し戻され、使用時の化粧料の漏出を大幅に抑えることができる。なお、上記仕切壁を用いた方法によれば、化粧料容器に新たな部材を追加する必要がなく、容器製造（成形工程）上の問題も発生しないという利点がある。
【００１５】
また、本発明の化粧料容器のなかでも、上記容器本体の凹部が、この凹部の側面の途中に形成された段部により、大開口径の段上凹部と、その中央寄りに形成された小開口径の段下凹部とに分けられ、この段下凹部が化粧料収容凹部になっているものの場合は、上記化粧料の外部への漏出を防止する仕切壁を、上記段上凹部と切り欠き部の境界部位に設ける。これにより、上記と同様の化粧料の漏出防止効果を得ることができる。
【００１６】
また、本発明の化粧料容器のなかでも、特に、上記仕切壁が、上記切り欠き部の縁部に沿って、上記段上凹部の底面から立設されており、この仕切壁の両端部が段上凹部の側面に緩やかに接続されるように、上記仕切壁の端部と段上凹部の側面とで形成される入隅部が、鈍角状またはアール付き曲面になっているものは、容器本体の内部に生じる上記入隅部にも、化粧料や埃等が溜まりにくく、清掃・除去がし易くなっている。これにより、化粧料容器内部を清潔に保つことができる。
【００１７】
さらに、本発明の化粧料容器のなかでも、上記仕切壁の凹部底面からの突出高さが、０．１ｍｍ以上２．０ｍｍ以下に設定されているものは、パフ等で擦られて粉体化した化粧料が上記仕切壁の上端面まで達しても、この仕切壁が、蓋体の内側に配設されている鏡等に接触しないため、鏡等を汚すことがない。また、上記段上凹部内にパフ等の化粧用具を収容する化粧料容器の場合でも、この化粧用具と上記仕切壁の上面との間に隙間が生じるため、化粧用具を蓋側に押し上げる（押し付ける）ことがなく、この化粧用具に付着した化粧料が上記蓋体の鏡等を汚すことがないという利点がある。さらに、このものは、上記仕切壁の高さが低いため、この化粧用具収容用のスペースを圧迫することがなく、より使い勝手の良い、大きなパフ等を利用することが可能になる。
【図面の簡単な説明】
【００１８】
【図１】本発明の実施形態における化粧料容器の開蓋状態を示す平面図である。
【図２】上記化粧料容器の断面図である。
【図３】上記化粧料容器に用いられている容器本体の外観斜視図である。
【図４】上記化粧料容器に用いられる他の容器本体の外観斜視図である。
【図５】従来の化粧料容器の開蓋状態を示す平面図である。
【図６】上記従来の化粧料容器に用いられている容器本体の外観斜視図である。
【発明を実施するための形態】
【００１９】
つぎに、本発明を実施するための形態について説明する。ただし、本発明は、この実施の形態に限定されるものではない。
【００２０】
図１は、本実施形態の化粧料容器を開蓋した状態で上から見た図であり、図２はこの化粧料容器の断面図、図３は上記化粧料容器に用いられている容器本体（単体）の外観斜視図である。なお、図において、各部分は模式的に示したものであり、実際の大きさ、厚み等とは異なっている（以下の図においても同じ）。
【００２１】
本実施形態における化粧料容器は、携行に適した小型のコンパクトケースであり、図２に示すように、下側の小径の化粧料収容凹部（中皿収容凹部１１）と上側の大径の化粧用具収容凹部１２とが積み重なる構造の容器本体１と、容器本体１の上部開口を蓋する蓋体２と、化粧料（チークＣ）が充填された中皿３と、上記容器本体１と蓋体２との間に形成された空間に収容される化粧用具（パフ５，仮想線）と、このパフ５と中皿３との間に介在配置された保護用のプラスチックシート４と、上記蓋体２の内側面に取り付けられた鏡６と、上記容器本体１と蓋体２とをヒンジ連結により接続するための連結ピン７等から構成されている。
【００２２】
そして、本実施形態のコンパクトケースは、チークＣやパウダーファンデーション等の化粧料が充填された中皿３を収容して持ち運び、この中皿３の上に載置されたパフ５を用いて、外出先等でも、すぐに化粧の用に供することができるようになっている。その際、上記保護用のプラスチックシート４等を取り除き、上記中皿３の上の化粧用具収容凹部１２を、パフ５等に化粧料を均一に付着させるための作業スペースとして用いても、このコンパクトケースは、上記化粧用具収容凹部１２と容器後端部の切り欠き部１ｄとの間に、所定の高さに形成された仕切壁１３が形成されているため、上記化粧用具収容凹部１２内に拡散した化粧料の粉体が、この化粧用具収容凹部１２から外部に漏れ出さないようになっている。これが本発明の化粧料容器（コンパクトケース）の特徴である。
【００２３】
上記コンパクトケースについて詳しく説明すると、容器本体１の上部開口を蓋する蓋体２は、合成樹脂製であり、図１に示すように、容器本体１と同様の平面視略円形状をしている。そして、図２に示すように、蓋体２の前端部（図示左側）には、上記容器本体１の前端部に設けられたフックピース１ｃと係合する係合凸部２ａが設けられている。また、蓋体２の後端部（図示右側）には、容器本体１とヒンジ連結する連結用片部２ｂが、蓋体２の後端部から下方に向けて突出形成されており、この連結用片部２ｂの先端近傍には、容器本体１とヒンジ連結する連結ピン７を挿通するための横孔が設けられている。なお、図２中の符号６は、蓋部２内面に取り付けられた鏡（ミラー）である。
【００２４】
上記中皿３およびパフ５を収容する容器本体１は、上記蓋体２と同様の合成樹脂製であり、その形状も、図１に示すように、平面視略円形状をしている。この容器本体１は、従来例と同様、図３に示すように、底部１ｂと側部１ａとからなる深皿状で、その側部１ａの途中に円周状の段部が形成され、開口径の異なる２つの凹部（大開口径の凹部１２および小開口径の凹部１１）が上下に積み重なった構造になっている。その下側（小径）の段下凹部は、チークＣ等の化粧料を充填された中皿３を収容するための中皿収容凹部１１になっており、段部より上側（大径）の段上凹部が、パフ５等を収容するための化粧用具収容凹部１２になっている。
【００２５】
なお、段下の中皿収容凹部１１の側面が、平面視円形状の中皿３を収容できるよう、その中皿３とほぼ同形の略円筒状（壁面は略垂直）になっているのに対し、段上の化粧用具収容凹部１２は、中皿３から飛び出した化粧料をこの中皿３の中に戻すことができるよう、この化粧用具収容凹部１２の側面は、上方に向けて徐々に拡径する上り斜面（全体としてすり鉢状）になっている。
【００２６】
また、図２に示すように、容器本体１の前端部（図示左側）には、先に述べた蓋体２の前端部に設けられた係合凸部２ａと係合するフックピース１ｃが、側部１ａの外面に設けられており、容器本体１の後端部（図示右側）には、前記蓋体２の連結用片部２ｂとのヒンジ連結に用いられる切り欠き部１ｄが形成されている。この切り欠き部１ｄは、容器本体１の側部１ａの上端から下端まで貫通する形状（すなわち、上記段上の化粧用具収容凹部１２と段下の中皿収容凹部１１を合わせた高さ）に形成されており、化粧用具収容凹部１２と連通している。また、その側端面には、前記ヒンジ連結用の連結ピン７を、蓋体２の連結用片部２ｂに設けられた横孔と同時に挿通することのできる貫通孔が設けられている。なお、この切り欠き部１ｄの前端面（凹部１１に向かう内側面）は、図１のように蓋部２を全開（１８０°）にした場合に、この前端面と上記蓋体２の連結用片部２ｂの先端との間になるべく隙間ができないように、この連結用片部２ｂ先端の曲面に沿った形状（円周曲面の一部）に形成されている。
【００２７】
そして、図３に示すように、この切り欠き部１ｄと上記段上の化粧用具収容凹部１２との境界部位には、切り欠き部１ｄの縁部に沿って、粉体化した化粧料の外部への漏出を防止する仕切壁１３が形成されている。この図３に示す仕切壁１３は、凹部（段部）表面から突出する突出高さが、比較的低い０．１ｍｍ以上２．０ｍｍ以下のリブ状に設定されている。これにより、上記仕切壁１３は、その上端が、蓋体２の内側に配設されている鏡６に接触することがなく、この鏡６を汚すことがない。また、上記仕切壁１３の高さが低いため、化粧用具収容凹部１２のスペースを圧迫することがなく、より使い勝手の良い、大きなパフ５等を使用することが可能になるという利点がある。なお、本実施形態のコンパクトケースにおける仕切壁１３の好適な突出高さは、通常、０．１ｍｍ以上２．０ｍｍ以下、より好ましくは、上記化粧料の漏出防止力と鏡６，パフ５等への接触とのバランスを考慮して、１．０〜１．５ｍｍの範囲内に設定される。
【００２８】
また、上記仕切壁１３は、その前端側のリブ部１３ａが、前記切り欠き部１ｄの前端面と同様、蓋体２の連結用片部２ｂの先端との間になるべく隙間ができない、連結用片部２ｂ先端の曲面に沿った形状（円周曲面の一部）に形成されているとともに、化粧用具収容凹部１２の側面に接続される両端部１３ｂ，１３ｂは、仕切壁１３が上記側部１ａに緩やかに合流（一体化）するように、その入隅部１３ｃ，１３ｃが、鈍角状またはアール（Ｒ）付きの曲面状に形成されている。これにより、上記仕切壁１３の入隅部１３ｃ，１３ｃは、化粧料や埃等が溜まりにくく、清掃・除去がし易くなっている。
【００２９】
なお、他の実施形態として、図４に示すように、上記仕切壁１３の高さを、上端面が容器本体１の側部１ａ上面と同じ高さになるまで高くすることもできる。このようにすることにより、化粧料の漏出防止機能を最大限に発揮することができるようになる。また、この他の実施形態の構成によれば、パフ５等の使用時だけでなく、化粧料容器を使用しない保管時（携行時）にも、上記切り欠き部１ｄからの化粧料の漏れ出しを防止することができ、好適である。
【００３０】
以上の構成により、本実施形態の化粧料容器（コンパクトケース）は、その使用時に、中皿３内のチークＣ等をパフ５に均一に付着させるために、このチークＣの粉体等を化粧用具収容凹部１２内に拡散させて使用したとしても、上記切り欠き部１ｄを通じた化粧料の外部への漏れ出しが少なく、使用者の手やその周囲、さらにはコンパクトケースを収容した化粧ポーチ内やその周辺を汚すことなく利用することができる。
【００３１】
なお、上記実施形態においては、容器本体１が平面視円形のコンパクトケースを例に説明したが、本発明はもちろん、容器本体が四角状やその他の多角形状の化粧料容器にも適用することができる。また、化粧料漏出防止用の仕切壁の機能を損なわない範囲で、その形状は容器の切り欠き部の形状に合わせて変更することが可能で、かつ、容器本体や蓋体等の材質や形状も、目的に合わせて適宜選択することが可能である。
【産業上の利用可能性】
【００３２】
本発明は、軽量・小型化され、使用者の手やその周囲、さらにはコンパクトケースを収容した化粧ポーチ内やその周辺を汚すことのない、使い勝手のよい化粧料容器として好適に使用することができる。
【符号の説明】
【００３３】
１  容器本体
１ｄ  切り欠き部
２  蓋体
１１  中皿収容凹部
１３  仕切壁
【図１】
2014124439.tif 000003
【図２】
2014124439.tif 000004
【図３】
2014124439.tif 000005
【図４】
2014124439.tif 000006
【図５】
2014124439.tif 000007
【図６】
2014124439.tif 000008